(57)【要約】【課題】駆動ユニットの構造を簡素化して、駆動ユニットと操作盤とを一つの箱に収納でき、ベルトが、万が一破損したとしても、同じ箱に収納された他の機器がベルトの破片等によって影響を受けないコンベヤ装置を提供することを目的とする。【解決手段】前後方向を向く左右１対のコンベヤフレームと、このコンベアフレーム間に配設される搬送物搬送手段と、前記搬送物搬送手段を駆動する駆動手段と、前記駆動手段の速度を制御可能な電源装置と、前記駆動手段及び前記電源装置を収納する収納箱と、を備え、前記収納箱を前記コンベヤフレームの下面に吊下したコンベヤ装置であって、前記収納箱は開口部を有し、前記電源装置を取付けた取付け手段を前記開口部に取付ける。【選択図】図４
2015020843.tif 000002
【特許請求の範囲】
【請求項１】
前後方向を向く左右１対のコンベヤフレームと、このコンベアフレーム間に配設される搬送物搬送手段と、前記搬送物搬送手段を駆動する駆動手段と、前記駆動手段の速度を制御可能な電源装置と、前記駆動手段及び前記電源装置を収納する収納箱と、を備え、前記収納箱を前記コンベヤフレームの下面に吊下したコンベヤ装置であって、前記収納箱は開口部を有し、前記電源装置を取付けた取付け手段を前記開口部に取付けたことを特徴とするコンベヤ装置。
【請求項２】
前記駆動手段は、テンションローラと、ガイドローラと、プーリと、を備え、前記テンションローラと前記ガイドローラとは、所定の間隔を設け略同一の高さ位置に配置し、前記プーリは前記テンションローラの下部側に配置され、前記電源装置は前記ガイドローラの下部側に配置されることを特徴とした請求項１に記載のコンベヤ装置。
【請求項３】
前記取付け手段は、前記収納箱の後面板に対して突出するとともに前記電源装置の背面側を固定する背面板と、前記開口部の開口縁部に固定する延設部と、前記電源装置を保護する保護板と、からなることを特徴とする請求項１または２に記載のコンベヤ装置。
【請求項４】
前記取付け手段は、前記電源装置の寸法が異なっていても、その前面操作部の位置をほぼ同一となるように前記電源装置を収納箱に収納できることを特徴とする請求項１ないし３のいずれかに記載のコンベヤ装置。
【発明の詳細な説明】
【技術分野】
【０００１】
本発明は、ローラコンベヤやベルトコンベヤ等の物品搬送用のコンベヤ装置に関し、特にコンベヤ装置を制御する制御機器の取付け構造に関する。
【背景技術】
【０００２】
従来のベルトコンベヤ１は、一対のフレーム２と、その両端部下面に取付けられた脚柱３、３と、フレーム２の前後の端部に、左右方向を向く軸回りに回転可能に設けられた１対のエンドローラ４、４と、両ローラ４間に掛け回された無端状のベルト５と、フレーム２の下部に吊支された駆動ユニット６と、同じく、駆動ユニット６の後方のフレーム２に吊支された操作盤７とを備え、駆動ユニット６は、駆動スプロケット１５が回転軸１６ａに取付けられたモータ１６と、駆動ドラム１７と、前後１対のガイドローラ１８、１８とから構成されている。（例えば、特許文献１参照）。
【先行技術文献】
【特許文献】
【０００３】
【特許文献１】特開２００２−１４５４３４号公報（段落［００１０］−［００１４］、第１図参照）
【発明の概要】
【発明が解決しようとする課題】
【０００４】
上述した特許文献１に示されるベルトコンベヤ１にあっては、駆動スプロケット１５を備えたモータ１６を収納する箱と、駆動ドラム１７と前後１対のガイドローラ１８、１８とを収納する箱と、操作盤７の３つの箱から構成されているため、取付けスペースが大きくなり、小型化の妨げとなるばかりか、組立にも多大な時間を要するという問題がある。
【０００５】
また、上記３つの箱を1個の箱として構成する場合、収納する部品が多く、部品同士の間隔を確保する必要があるため箱の大きさが大きくなり、コンベヤ装置への組み立ても困難となる。また、操作盤の大きさは容量に応じて大きく変わるため、都度、操作盤の大きさに合わせて収納箱を設計、製作する必要があり、手間がかかる。
【０００６】
また、回転体である駆動ドラム１７及びガイドローラ１８と、操作盤７とを一つの箱に収納する場合には、万一、ベルトの破損に備え、破損したベルトとの接触による衝撃から、操作盤を保護する対策を講じる必要がある。
【０００７】
本発明は、このような問題点に着目してなされたもので、容量が変わっても収納箱の大きさを変えないで、駆動装置と操作盤とを一つの箱に収納でき、万一、ベルトが破損したとしても操作盤を破損したベルトとの接触による衝撃から保護できるコンベヤ装置を提供することを目的とする。
【課題を解決するための手段】
【０００８】
前記課題を解決するために、本発明のコンベヤ装置は、前後方向を向く左右１対のコンベヤフレームと、このコンベアフレーム間に配設される搬送物搬送手段と、前記搬送物搬送手段を駆動する駆動手段と、前記駆動手段の速度を制御可能な電源装置と、前記駆動手段及び前記電源装置を収納する収納箱と、を備え、前記収納箱を前記コンベヤフレームの下面に吊下したコンベヤ装置であって、前記収納箱は開口部を有し、前記電源装置を取付けた取付け手段を前記開口部に取付けたことを特徴としている。
この特徴によれば、電源装置を取付けた取付け手段を開口部に取付けることにより、収納箱の寸法を変更せずに、取付け手段の寸法のみを変更することで、異なる大きさの電源装置を収納箱に収納できる。
【０００９】
本発明のコンベヤ装置は、駆動手段が、テンションローラと、ガイドローラと、プーリと、を備え、前記テンションローラと前記ガイドローラとは、所定の間隔を設けて略同一の高さ位置に配置され、前記プーリは前記テンションローラの下部側に配置され、前記電源装置は前記ガイドローラの下部側に配置されることを特徴としている。
この特徴によれば、プーリ、テンションローラ及びガイドローラを収納箱に配置することで、電源装置を配置するスペースを確保でき、プーリ、テンションローラ、ガイドローラ及び電源装置を１個の収納箱に収納することができる。
【００１０】
本発明のコンベヤ装置は、収納箱の後面板に対して突出するとともに電源装置を固定する背面板と、前記開口部の開口縁部に固定する延設部と、前記電源装置を保護する保護板とからなる取付け手段を有することを特徴としている。
この特徴によれば、収納箱の寸法を変更せずに、取付け手段の寸法のみを変更することで、異なる大きさを有する電源装置を収納箱に収納でき、かつ駆動ベルトの破損から電源装置を保護することができる。
【００１１】
本発明のコンベヤ装置は、前記電源装置の寸法が異なっていても、その前面操作部の位置をほぼ同一となるように前記電源装置を収納箱に収納できる取付け手段を有することを特徴としている。
この特徴によれば、電源装置の大きさが異なっていても、収納箱の寸法を変更せずに、前面操作部の位置をほぼ同一とできる。
【図面の簡単な説明】
【００１２】
【図１】本発明のコンベヤ装置を側面から見た図である。
【図２】図１（ｂ）の収納箱２０の詳細図である。
【図３】図２のＡ−Ａ断面を示す図である。
【図４】寸法の異なる電源装置の取付けを説明する図である。
【発明を実施するための形態】
【００１３】
本発明に係るコンベヤ装置について、図１及び図２を参照して説明する。
【００１４】
コンベヤ装置１は、前後方向を向く左右一対のコンベヤフレーム２ａ、２ｂと、この左右一対のコンベアフレーム間に配設される搬送物搬送手段としてのローラ３と、ローラ３を回転駆動させる駆動手段１０と、駆動手段１０の速度を制御可能な電源装置１５と、駆動手段１０及び電源装置１５を収納する収納箱２０とを備え、収納箱２０をコンベヤフレーム２ａ、２ｂの下面に吊下して構成している。
【００１５】
コンベヤ装置１の複数のローラ３は、左右１対のコンベヤフレーム２ａ、２ｂの間に配置され、複数のローラ３はコンベヤフレーム２ａ、２ｂに対して自在に回転できるように枢着さている。また、コンベヤフレーム２ａ、２ｂの前後の端部には、左右方向を向く一対のエンドローラエンドローラ４ａ、４ｂが回転可能に枢着されている。
【００１６】
駆動手段１０について、図１、図２を参照して説明する。
【００１７】
図２に示すように、駆動手段１０は、回転駆動源としてのモータ１２の出力軸に取付けられたプーリ１１、テンションローラ１３、ガイドローラ１４から構成される。前後方向に移動する駆動ベルト５は、プーリ１１、テンションローラ、ガイドローラ１４及び一対のエンドローラ４ａ、４ｂとの間に掛け回され無端回走するようになっている。駆動ベルト５とローラ３とは、駆動ベルト５をローラ３に向かって押圧する駆動ベルト押圧手段（図示せず）により、接触、非接触が制御され、駆動ベルト５がローラ３に接触することで、ローラ３は回転駆動される。また、電源装置１５はインバータ電源等により構成され、プーリ１１を駆動するモータ１２は、電源装置１５から供給される電力により、所望の回転速度で回転駆動される。プーリ１１、テンションローラ１３及びガイドローラ１４と電源装置１５は収納箱２０に収納されている。
【００１８】
図２に示すように、テンションローラ１３は、張力調整装置によって後面板２１に設けられた溝１７内を移動させることで、駆動ベルト５の張力を調整できるようになっている。張力調整装置は、スタッドボルト４２の両端を支持するナット４３及び支持座４４、スタッドボルト４２に螺合している座４１から構成され、スタッドボルト４２を回すと座４１が移動し、座４１上に固定されたテンションローラ１３が移動することで、駆動ベルト５の張力を調整できるようになっている。
【００１９】
テンションローラ１３とガイドローラ１４とは、所定の間隔を設け略同一の高さ位置に配置されている。テンションローラ１３とガイドローラ１４との間隔は、張力調整装置のスタッドボルト４２の長さから決定される間隔を設けている。すなわち、図２に示すように、テンションローラ１３は、スタッドボルト４２によって、後面板２１に設けられた長さｅを有する溝１７内を移動できるようにするため、張力調整装置のスタッドボルト４２は、溝１７の長さｅよりも長くなっており、ガイドローラ１４は、溝１７の端部からさらに長さｆ以上の距離を設けて、配置されている。また、プーリ１１は、テンションローラ１３により発生するテンションが効率よく加わるように、テンションローラ１３の下部側に配置されている。
【００２０】
このように、テンションローラ１３とガイドローラ１４との間に、張力調整装置のスタッドボルト４２の長さから決定される間隔を設け、テンションローラ１３及びガイドローラ１４を略同一の高さ位置に配置し、プーリ１１をテンションローラ１３の下部側に配置することで、ガイドローラ１４の下部には、電源装置１５を配置するスペースを確保することができる。
【００２１】
収納箱２０について、図１から図３を参照して説明する。図１に示すように、収納箱２０は、コンベヤフレーム２ａ、２ｂの下面に取付けられている。図１（ａ）は、収納箱２０にフタ３１を取付けた状態の図を示し、図１（ｂ）は、収納箱２０にフタ３１を取り外した状態の図、図２は、図１（ｂ）の収納箱２０の詳細図、図３は、図２のＡ−Ａ断面を示す図である。収納箱２０は、後面板２１と、側面板２２、２３と、取付け手段２４と、フタ３１とから構成されている。
【００２２】
後面板２１の左端部には、側面板２２が固定され、側面板２２は、コンベヤフレーム２ａ、２ｂの下面に固定され、後面板２１の左端部を支持している。同様に後面板２１の右端部には、側面板２３が固定され、側面板２３は、コンベヤフレーム２ａ、２ｂの下面に固定され、後面板２１の右端部を支持している。
【００２３】
後面板２１には、上述のようにテンションローラ１３、ガイドローラ１４及びプーリ１１を配置することによって確保された電源装置用スペースに、開口部３０が穿設されている。開口部３０は、後述のように異なる寸法を有する電源装置のうち、最大寸法を有するものを取付けられるような開口寸法を有している。
【００２４】
電源装置１５の取付け構造について、図３を参照して説明する。図３は図２のＡ−Ａ断面を示す図である。電源装置１５は、取付け手段２４に取付けられ、後面板２１に穿設された開口３０に挿入し、後面板２１に固定されている。取付け手段２４は、図３に示すように、背面板２５、延設部２６及び保護板２７からなる。
【００２５】
保護板２７はガイドローラ１４の直下に配置された電源装置を保護するためのもので、回転体であるガイドローラ１４と電源装置１５との間を仕切っている。電源装置１５は衝撃に弱いため、万が一、ベルトが破損したとき、破損したベルトが電源装置１５に接触して、衝撃を与えないように、保護板２７によって保護している。保護板２７は、収納箱２０の構造、電源装置１５の形状等を考慮して、電源装置１５の上部のみを覆うように形成してもよいし、電源装置１５の上部半分、全周を覆うように形成してもよい。
【００２６】
背面板２５は、孔が穿設されており、電源装置１５の背面の取付け部と、背面板２５の孔にねじ２８を挿通して、電源装置１５と取付け手段２４と締結している。
【００２７】
電源装置１５を取付けた取付け手段２４は、後面板２１に穿設された開口部３０に挿入され、延設部２６に設けられた孔にねじ２９を挿通して、後面板２１と取付け手段２４とを締結している。
【００２８】
電源装置１５は、容量によって寸法が異なるため、異なる寸法の電源装置１５を収納箱２０に収納するためには、電源装置１５の大きさに応じて、収納箱２０の大きさを変える必要がある。しかしながら、電源装置１５の大きさに応じて、収納箱の大きさを変更してしまうと、収納箱２０の後面板２１に取付けたプーリ１１、テンションローラ１３及びガイドローラ１４の取付け位置が変わる場合があり、設計上、製作上の手間がかかってしまう。そこで、収納箱２０に対する駆動装置２０の取付け位置を変更しないで、取付け手段２４のみの形状を変更して、異なる大きさの電源装置１５を取付けられるようにした。
【００２９】
図４は図２の断面Ａ−Ａを示す図であり、図４（ａ）は、小容量で、寸法の小さい電源装置１５−１を収納箱２０に取付けた図を示す。図４（ｂ）は、大容量で、寸法の大きい電源装置１５−２を収納箱２０に取付けた図を示す。図４（ｃ）は図４（ａ）のＹ矢視図で、小容量電源装置１５−１と取付け手段２４−１示す図であり、図４（ｄ）は図４（ｂ）のＺ矢視図で、大容量電源装置１５−２と取付け手段２４−２を示す図である。
【００３０】
図４（ａ）（ｃ）において、取付け手段２４−１の背面板２５−１は平板状に形成されている。後面板２１における延設部２６の取付け面３２からフタ３１の内面までの距離をＬ１は、延設部２６−１における取付け面３４から電源装置１５−１の前面操作部までの距離Ｍ１よりも、大きく設定しているので、フタ３１に電源装置１５−１の前面操作部が接触することはない。
【００３１】
つぎに、大容量で、寸法の大きい電源装置１５−２を図４（ａ）と同じ寸法、形状を有する収納箱２０に取付ける場合を説明する。
図４（ｄ）に示すように、取付け手段２４−２は背面板２５−２を延設部２６−２に対して、電源装置１５を取付ける面と反対の方向に突出させた形状となっている。したがって、図４（ｂ）において、後面板２１における延設部２６の取付け面３２からフタ３１の内面までの距離Ｌ１が図４（ａ）の場合と同寸法であっても、延設部２６−２における取付け面３５から電源装置１５−２の前面操作部までの距離Ｍ２を、前記距離Ｌ１よりも小さくすることができるので、フタ３１に電源装置１５−２の前面操作部が接触することはない。
【００３２】
以上説明したように、取付け手段２４のみ形状を変更することで、収納箱２０の寸法は一切変更しないで、異なる大きさの電源装置１５を収納箱１０に収容することができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００３４】
１                コンベヤ装置
２ａ、２ｂ        コンベヤフレーム
３                ローラ３
４ａ、４ｂ        エンドローラエンドローラ
５                駆動ベルト５
１０              駆動手段
１１              プーリ
１２              モータ
１３              テンションローラ
１４              ガイドローラ
１５              電源装置（１５−１、１５−２）
１６              圧力計
１７              テンション調整用溝
２０              収納箱
２１              後面板
２２              側面板
２３              側面板
２４              取付け手段（２４−１、２４−２）
２５              背面板（２５−１、２５−２）
２６              延設部（２６−１、２６−２）
２７              保護板（２７−１、２７−２）
２８              孔
２９              孔
３０              開口
３１              フタ
【図１】
2015020843.tif 000003
【図２】
2015020843.tif 000004
【図３】
2015020843.tif 000005
【図４】
2015020843.tif 000006